(57)【要約】【課題】測定対象の酸素飽和度に関する情報と、酸素飽和度に関する情報が収集された部分の温度に関する情報も同時に収集可能な生体情報収集センサ、及び生体情報収集装置を提供する。【解決手段】発光部２と、受光部３，４と、温度計測部５と、発光部２、受光部３，４及び温度計測部５を収容する本体部１０を備え、本体部１０は生体情報を収集する際に測定対象の側を向き、測定対象と接触する装着面３６を有し、発光部２、受光部３，４及び温度計測部５は、装着面３６側に並んで配置されている生体情報収集センサ１。【選択図】  図１
2020141746.tif 000002
【特許請求の範囲】
【請求項１】
測定対象の表面に接触させて生体情報を収集するセンサであって、
赤外線、あるいは近赤外線を発光する発光部と、
前記測定対象を透過した光を収集する受光部と、
前記測定対象の温度を測定する温度計測部と、
前記発光部、前記受光部及び前記温度計測部を収容する本体部と、
を備え、
前記本体部は前記生体情報を収集する際に前記測定対象の側を向き、前記測定対象と接触する装着面を有し、
前記発光部、前記受光部及び前記温度計測部は、
前記装着面側に並んで配置されている生体情報収集センサ。
【請求項２】
前記温度計測部は、
前記装着面において、前記発光部と前記受光部が並ぶ方向に延びる仮想直線上に配置されている請求項１に記載の生体情報収集センサ。
【請求項３】
前記本体部の前記装着面側の外周に、前記測定対象と接触し、前記本体部から離れる方向に突出して延びる辺縁遮光部が設けられている請求項１または請求項２に記載の生体情報収集センサ。
【請求項４】
前記辺縁遮光部は、
前記測定対象と接触する接触面と、前記接触面とは反対側の外側面の間の前記測定対象に向かう方向の距離が、前記本体部から離れるにつれ短くなっている請求項３に記載の生体情報収集センサ。
【請求項５】
少なくとも前記発光部を制御して前記生体情報の収集を制御する計測制御部を更に備え、
前記計測制御部は、
前記測定対象の温度が予め定められた測定停止温度を下回る場合には、前記発光部を消灯する制御を行う請求項１から請求項４のいずれか１つに記載の生体情報収集センサ。
【請求項６】
請求項１から請求項５のいずれか１つに記載の生体情報収集センサと、
少なくとも一つの前記生体情報収集センサが収集した生体情報を表示する表示装置と、
を有する生体情報収集装置。
【発明の詳細な説明】
【技術分野】
【０００１】
本発明は、生体情報の収集に用いて好適な生体情報収集センサに関する。
【背景技術】
【０００２】
従来、赤外線や近赤外線を、照射端面から生体の組織に照射すると共に、生体の組織を透過した透過光を受光端面にて受光して、測定対象の組織の酸素飽和度などの生体に関する情報を収集する代謝情報測定用プローブが知られている（例えば特許文献１参照。）。また、発光部及び受光部を備えた酸素飽和度測定部と、測定対象の温度に関する情報を収集するための温度感知部を備えた医療機器も知られている（例えば特許文献２参照。）。
【先行技術文献】
【特許文献】
【０００３】
【特許文献１】特開平１０−２３４７３７号公報
【特許文献２】特表２００５−５３４３７６号公報
【発明の概要】
【発明が解決しようとする課題】
【０００４】
上述の特許文献１に記載された技術では、受光端面にて受光した透過光を処理演算して、測定対象の組織の酸素飽和度に関する情報の収集を行うことはできるものの、酸素飽和度に関する情報の収集を行った部分の温度など、その他の生体に関する情報を収集することができないという問題があった。
【０００５】
また特許文献２に記載された技術では、酸素飽和度に関する情報に加えて温度にする情報の収集はできるものの、温度に関する情報の収集を行う温度感知部は、酸素飽和度に関する情報の収集を行う酸素飽和度測定部が配置されている側とは反対側に配置されている。このため、酸素飽和度に関する情報の収集が行われる箇所とは異なる部分の温度に関する情報を収集することになるため、同一の箇所における組織の酸素飽和度に関する情報と温度に関する情報を同時に収集することはできないという問題があった。
【０００６】
本発明は、上記の課題を解決するためになされたものであって、測定対象の酸素飽和度に関する情報と、酸素飽和度に関する情報が収集された部分の温度に関する情報も同時に収集可能な生体情報収集センサ、及び当該生体情報収集センサを用いた生体情報収集装置を提供することを目的とする。
【課題を解決するための手段】
【０００７】
上記目的を達成するために、本発明は、以下の手段を提供する。
本発明の生体情報収集センサは、測定対象の表面に接触させて生体情報を収集するセンサであって、赤外線、あるいは近赤外線を発光する発光部と、前記測定対象を透過した光を収集する受光部と、前記測定対象の温度を測定する温度計測部と、前記発光部、前記受光部及び前記温度計測部を収容する本体部とを備え、前記本体部は前記生体情報を収集する際に前記測定対象の側を向き、前記測定対象と接触する装着面を有し、前記発光部、前記受光部及び前記温度計測部は、前記装着面側に並んで配置されていることを特徴とする。
【０００８】
上記発明においては、前記温度計測部は、前記装着面において、前記発光部と前記受光部が並ぶ方向に延びる仮想直線上に配置されていることが好ましい。
【０００９】
上記発明においては、前記本体部の前記装着面側の外周に、前記測定対象と接触し、前記本体部から離れる方向に突出して延びる辺縁遮光部が設けられていることが好ましい。
【００１０】
上記発明においては、前記辺縁遮光部は、前記測定対象と接触する接触面と、前記接触面とは反対側の外側面との間の前記測定対象に向かう方向の間の距離が、前記本体部から離れるにつれ短くなっていることが好ましい。
【００１１】
上記発明においては、少なくとも前記発光部を制御して前記生体情報の収集を制御する計測制御部を更に備え、前記計測制御部は、前記温度計測部が測定した前記測定対象の温度が予め定められた測定停止温度を下回る場合には、前記発光部を消灯する制御を行うことが好ましい。
【００１２】
本発明の生体情報収集装置は、上記いずれかの生体情報収集センサと、少なくとも一つの前記生体情報収集センサが収集した生体情報を表示する表示装置を有することを特徴とする。
【発明の効果】
【００１３】
本発明の生体情報収集センサによれば、同一の箇所の組織の酸素飽和度に関する情報と、温度に関する情報の収集を同時に行うことができるという効果を奏する。
【図面の簡単な説明】
【００１４】
【図１】図１（ａ）は、本発明の生体情報収集装置に係る生体情報収集センサの一実施形態を説明する斜視図である。図１（ｂ）は、本発明の生体情報収集装置に係る表示装置の一実施形態を説明する図である。
【図２】本発明の生体情報収集装置を説明するブロック図である。
【図３】図３（ａ）は、本発明の生体情報収集装置に係る生体情報収集センサの一実施形態を説明する側面図である。図３（ｂ）は、本発明の生体情報収集装置に係る生体情報収集センサの他の例を説明する側面図である。
【図４】本発明の生体情報収集装置に係る生体情報収集センサの一実施形態を説明する下面図である。
【図５】本発明の生体情報収集装置に係る生体情報収集センサの使用状態の一例を説明する図である。
【図６】本発明の生体情報収集装置に係る表示装置の表示画面の一例を説明する図である。
【発明を実施するための形態】
【００１５】
〔第１の実施形態〕
以下、本発明の第１の実施形態に係る生体情報収集装置１００について図１から図６を参照しながら説明する。本実施形態に係る生体情報収集装置１００は、生体情報収集センサ１と、表示装置５０から主に構成されている。
【００１６】
本実施形態に係る生体情報収集装置１００は、生体情報収集センサ１を患者の皮膚に配置して、患者の組織の酸素飽和度に関する情報や、温度に関する情報を収集する医療用の生体情報収集装置である。なお以降において、生体情報収集装置１００が収集する、患者の組織の酸素飽和度に関する情報や温度に関する生体に関する情報を「生体情報」とも記載する。生体情報収集センサ１が収集した生体情報は、表示装置５０に表示される。
【００１７】
１．構成の説明
生体情報収集センサ１は、患者の組織の酸素飽和度に関する情報や、生体情報収集センサ１が装着された箇所における患者の温度に関する情報を取得する機能を主に有している。また生体情報収集センサ１は、取得した生体情報を、生体情報データとして表示装置５０に出力する機能も有している。表示装置５０は、生体情報収集センサ１が収集した生体情報を表示する機能を主に有している。
【００１８】
なお以降の説明では、前後、左右、上下の方向は特に断りの無い限り、図中に示した方向とする。また、生体情報収集センサ１を、生体情報が収集可能な状態で患者に接触させて配置することを、「装着する」とも記載する。更に、生体情報収集センサ１を患者に装着した際、測定対象となる患者と接触する生体情報収集センサ１の面を「装着面」とも記載する。また、生体情報収集センサ１が生体情報を収集することを、「測定」とも記載する。
【００１９】
生体情報収集センサ１は、主に発光部２、受光部３，４、温度計測部５、制御部６、バッテリ７、発光制御部８、及び温度計測制御部９（以降においてこれらを総称して「電子部品」とも記載する。）を主に備えている。これらの電子部品は、略直方体形状の筐体部１０の内部に収容されている。
【００２０】
発光部２は、赤外線あるいは近赤外線の光を発光し、発光した光を測定対象部位の組織に照射する部分である。発光部２は、それぞれ波長の異なる光を発光する図示されていない２つの発光ダイオード（以降に於いて「ＬＥＤ」とも記載する。）を備えている。本実施形態では発光部２が、約７７０ｎｍの波長の光を発光する図示されていないＬＥＤ２ａと、約８３０ｎｍの波長の光を発光する図示されていないＬＥＤ２ｂを備えている例に適用して以降の説明を行う。なお発光部２は、所定の波長の光を発光する他の公知の発光素子を備えたものであってもよい。
【００２１】
発光制御部８は、発光部２による光の照射を制御する部分である。具体的には発光制御部８は、詳細は後述する制御部６からの信号に従って、発光部２のＬＥＤ２ａ、ＬＥＤ２ｂが発光するために必要な電流を出力したり停止したりして、発光部２による光の照射を制御する。
【００２２】
受光部３，４は、受光した光に応じた信号を制御部６が処理可能な信号として出力する部分である。受光部３，４は、受光した光に応じた電気信号を出力する図示されていないフォトダイオード（以降において「ＰＤ」とも記載する。）と、ＰＤが出力した電気信号を制御部６が処理可能な信号として出力する図示されていない信号処理部を主に備えている。なお以降の説明において、受光部３に備えられているＰＤをＰＤａと、受光部４に備えられているＰＤをＰＤｂと記載する。また、受光部３，４が出力する、ＰＤａ及びＰＤｂが受光した光に関する情報を「光学情報」とも記載する。なお受光部３，４は、受光した光に応じた電気信号を出力する他の公知の素子を備えたものであってもよい。
【００２３】
温度計測部５は、その端部に設けられた計測部５ａが接触した部分の温度に関する情報を収集し、収集した温度に関する情報を電気信号として出力する公知の温度センサ（サーミスタ）である。本実施形態では、温度計測部５が略円柱形状の形状をしており、その先端部に接触した部分の温度を計測する計測部５ａが備えられている例に適用して以降の説明を行うが、温度計測部５の形状はこれに限定されるものではない。
【００２４】
温度計測制御部９は、温度計測部５が出力した電気信号を、制御部６が処理可能な信号に変換して出力する部分である。具体的には、温度計測制御部９は、温度計測部５が出力した電流に関する信号を電圧信号に変換して出力する機能を有する部分である。以降の説明において温度計測部５が収集した温度に関する情報を「温度情報」とも記載する。
【００２５】
制御部６は、主に発光部２、受光部３，４、及び温度計測部５を制御すると共に、受光部３，４からの光学情報、及び温度計測制御部９からの温度情報を処理して、患者の測定対象部位である組織の酸素飽和度に関する情報、及び測定対象の温度に関する情報（以降において「体温情報」とも記載する。）を算出する部分である。また制御部６は、算出した組織の酸素飽和度に関する情報、及び体温情報を、表示装置５０が処理可能な生体情報データとして出力する機能も有している。
【００２６】
制御部６は、生体情報の収集を制御する計測制御部６１、アナログ信号をデジタルデータに変換処理するＡ／Ｄ変換部６２、光学情報及び温度情報に基づいて、組織の酸素飽和度に関する情報や体温情報を算出する演算処理部６３などを主に有している。また制御部６は、表示装置５０と通信を行う通信部６４も有している。なお演算処理部６３は、取得した光学情報が予め定められた所定の条件を逸脱するなど、生体情報収集センサ１が通常とは異なる状態であると判断される場合に、異常を通知する信号を通信部６４に出力させる機能も有している。
【００２７】
本実施形態では制御部６がアンテナ部６５を備え、通信部６４がアンテナ部６５を介して無線通信信号を送受信して表示装置５０と通信を行う公知の無線通信機能を有している例に適用して以降の説明を行う。具体的には通信部６４が、公知の無線通信規格であるＢＬＥ規格（Ｂｌｕｅｔｏｏｔｈ  Ｌｏｗ  Ｅｎｅｒｇｙ）（「Ｂｌｕｅｔｏｏｔｈ」は登録商標。）に従った通信が可能な無線通信機能を有している例に適用して以降の説明を行う。なお通信部６４は、通信信号を受信する受信装置が、当該通信信号を送信した通信部６４を識別できる識別情報を含む通信信号を無線当該通信規格に従って送信する。なお通信部６４は、上記とは異なる公知の通信規格に従い通信を行う通信機能を備えたものであってもよい。
【００２８】
バッテリ７は、筐体部１０の内部の電子部品に、動作に必要な電力を供給する電源である。バッテリ７は、生体情報収集センサ１の用途に応じた使用時間の間、必要となる電力を供給可能な容量を有していることが好ましい。ＯＮ／ＯＦＦ回路１１は、使用者の操作に従って、筐体部１０の内部の電子部品への電気の供給、停止を行う電源スイッチ回路である。
【００２９】
発光部２、受光部３，４、温度計測部５、制御部６、発光制御部８、温度計測制御部９、及びＯＮ／ＯＦＦ回路１１は、図示されていない基板４０に半田などの公知の方法で固定され、電気的に接続されている。少なくとも発光部２、受光部３，４、及び温度計測部５は、基板４０の詳細は後述する装着面３６側の面に並んで配置されている。より具体的に説明すると、発光部２、受光部３，４、及び温度計測部５は、装着面３６の左右方向の中心を通って前後の方向に向かって延びる仮想直線Ｈ上に並んで配置されている。本実施形態では、前側から温度計測部５、発光部２、受光部３、受光部４の順番で並んで配置されている例に適用して以降の説明を行う（図４参照。）。なお発光部２、受光部３，４、及び温度計測部５は、基板４０の装着面３６側の面の上記とは異なる部分に直線状に並んで配置されてもよい。また温度計測部５は、装着面３６側の面に配置されるのであれば、上記とは異なる位置に配置されていてもよい。
【００３０】
なお、発光部２と受光部３の間の距離、及び発光部２と受光部４の間の距離は、組織の酸素飽和度を算出する演算式に従い、酸素飽和度に関する情報を収集する組織の深度、即ち生体情報収集センサ１を装着する患者の皮膚の表面から酸素飽和度に関する情報が収集される組織までの距離に基づいてそれぞれの算出される間隔で配置されている。
【００３１】
なお基板４０上の、発光部２と受光部３の間には、遮光素材からできた図示されていない遮光板が設けられている。この遮光板は、測定対象である患者の組織を通過せずに受光部３，４に直接入射される発光部２からの光を遮るためのものである。
【００３２】
バッテリ７は、筐体部１０の内側の基板４０より上側の部分に公知の方法で固定され、ＯＮ／ＯＦＦ回路１１を介して基板４０に電気的に接続されている。なおバッテリ７は、無線通信機能の妨げとなることのない様に配置されている。
【００３３】
表示装置５０は、通信機能部５１、表示部５２、演算処理部５３及び記憶部５４を主に有している。表示部５２は、タッチパネル式の公知のディスプレイデバイスである。表示部５２には、生体情報収集センサ１から送信された生体情報データが表示される他、生体情報収集センサ１の操作や設定に関する画面が表示される。具体的には、使用者によって生体情報の収集の開始や停止、あるいは一次停止が指示される画面や、使用者によって生体情報が算出される時間間隔などが設定されるための画面等が表示される。表示部５２は、タッチパネル式のディスプレイデバイスであるため、使用者は表示されたボタンなどを直接触れて操作することで、演算処理部５３などに必要な入力を行うことができる。なお使用者による操作は、その他の公知の入力デバイスによって行われてもよい。
【００３４】
通信機能部５１は、主に生体情報収集センサ１の通信部６４と通信を行う部分である。本実施形態では、通信機能部５１が、複数の通信部６４と同時に通信可能な公知の無線通信規格（ＢＬＥ規格）に従って通信を行う例に適用して以降の説明を行う。具体的に説明すると、通信機能部５１は、公知の無線通信規格に従った無線通信信号を送受信して生体情報収集センサ１と通信を行う。通信機能部５１は、複数の通信部６４と通信を行う場合に、受信した通信信号に含まれる通信部６４の識別情報から、当該通信信号を送信した通信部６４を識別して必要な処理を行う。即ち、表示装置５０は、複数の生体情報収集センサ１からそれぞれの生体情報データを受信し、それぞれ別個のデータとして処理し、複数の生体情報データを生体情報収集センサ１ごとに同時に表示部５２に表示する。
【００３５】
演算処理部５３は、通信機能部５１や表示部５２を制御するとともに、通信機能部５１が受信した生体情報データを表示部５２に表示するために必要な処理を行う部分である。記憶部５４は、通信機能部５１が受信した生体情報データなどを記憶するハードディスクやメモリなどの公知の記憶媒体である。
【００３６】
本実施形態では表示装置５０が、公知のタブレットＰＣに、専用のプログラムがインストールされたものである例に適用して以降の説明を行う。即ち、表示装置５０の上記の各部の機能が、タブレットＰＣのハードウェアと、記憶部５４にインストールされた専用プログラムが協働して実現されている例に適用して以降の説明を行う。なお表示装置５０は、専用のプログラムがインストールされた他の公知のノートＰＣや他のＰＣであってもよい。あるいは表示装置５０は、上記の各機能を有する専用のハードウェアから構成された専用の装置であってもよい。
【００３７】
２．生体情報収集センサの外観の説明
筐体部１０は、一方の側が開口した略直方体の外装２０と、板状の装着面板３０から主に構成されている。外装２０は、ポリカーボネートなどの公知の樹脂素材からなる板材が、略直方体形状に形成されたものである。装着面板３０は、ゴムなどの柔軟性を有した公知の素材からなる板状の部分である。なお装着面板３０は、少なくとも生体情報を収集する際に用いられる波長の光を遮光する特性も有している。外装２０及び装着面板３０は、バッテリ７の出力電圧に応じた耐電圧を有していることが好ましい。また装着面板３０は、例えば患者の皮膚などに接触させても炎症などを生じるおそれのない、生物学的に安全な素材でできていることが好ましい。なお、装着面板３０は、少なくとも生体情報を収集する際に用いられる波長の光を遮光する特性を有すると共に、生物学的に安全な素材であれば他の公知の素材が用いられていてもよい。なお筐体部１０が、特許請求の範囲における本体部とされている。
【００３８】
外装２０は、使用時に生体情報の収集が行われる患者の皮膚の表面と同じ側を向く略長方形の上側面部２１と、上側面部２１の４つ辺からそれぞれ延出する４つの側面部２２と、４つの側面部２２に囲まれ、上側面部２１とは反対側にある開口部を主に有している。なお、上側面部２１は、前後方向に長い略長方形をしている。以降の説明において、この上側面部２１の長い側の方向を、「長手方向」とも記載する。なお上側面部２１の形状は上記に限定される訳ではなく、正方形や他の形状をしていてもよい。
【００３９】
上側面部２１の端側には、スイッチ２３が設けられている。このスイッチ２３は、ＯＮ／ＯＦＦ回路１１を動作させて生体情報収集センサ１の電気のＯＮ／ＯＦＦを行う公知のスイッチである。また、このスイッチ２３と隣接してバッテリ７から電気が供給されている際に点灯するランプ２４が設けられている。なおスイッチ２３のＯＮ／ＯＦＦの状態が、スイッチ２３に備えられているトグルスイッチなどの位置などによって識別可能な場合などには、ランプ２４を設けない構成としてもよい。
【００４０】
外装２０の開口部には、上側面部２１よりも大きな面積の装着面板３０が、外装２０の開口部を塞ぐようにして配置されている。外装２０と装着面板３０は、公知の方法によって固定されている。より具体的に説明すると、外装２０は、筐体部１０を上側から見た状態において装着面板３０の略中心に上側面部２１の中心が一致する様に配置され、装着面板３０に固定されている。換言すれば、外装２０は、装着面板３０の一方の側の面に配置した際に、外装２０が重なっていない装着面板３０の部分、即ち重ねられた外装２０からはみ出した装着面板３０の部分の前後方向の幅がそれぞれ略等しく、更に左右方向の幅もそれぞれ略等しくなる様に配置され、装着面板３０に固定されている。なお以降において、外装２０からはみ出している装着面板３０の部分（外装２０と重なっていない装着面板３０の部分）を辺縁遮光部３１とも記載する。なお、装着面板３０の外装２０とは反対側の面が、使用時に患者の皮膚の表面と接触する装着面３６である。
【００４１】
辺縁遮光部３１は、外装２０から離れるにつれ、その上下方向の厚さが薄くなる形状をしている。即ち、筐体部１０を一方の側面部２２の側から見た際に、装着面３６に向かって傾斜した形状をしている（図３（ａ）参照。）。換言すれば、装着面３６側の面と装着面３６とは反対側の外側面３７との間の上下方向の長さが、外装２０から離れるにつれ、短くなる形状をしている。なお、辺縁遮光部３１は、上記の様な形状に限定される訳ではなく、同一の厚さを有したものであってもよい（図３（ｂ）参照。）。あるいは他の形状をしたものであってもよい。
【００４２】
装着面板３０には、基板４０に配置された発光部２、受光部３，４、及び温度計測部５と対応する部分に、それぞれ貫通孔３２〜３５が設けられている。この貫通孔３２〜３５は、仮想直線Ｈ上に並んで配置されている。
【００４３】
貫通孔３２，３３は、装着面３６側から見た時の開口の大きさが、それぞれ同じ側から見た受光部３，４のＰＤａ，ＰＤｂが配置されている部分と略同一の大きさの開口を有した貫通穴である。なお、貫通孔３２，３３の開口は、受光部３，４が透過光を受光する妨げとならない大きさであれば、上記と異なるものであってもよい。また、貫通孔３４は、装着面３６側から見た時の開口の大きさが、同じ側から見た発光部２のＬＥＤ２ａ、ＬＥＤ２ｂが配置されている部分と略同一の大きさの開口を有した貫通穴である。なお、貫通孔３４の開口は、発光部２が測定対象に必要な光を照射できる大きさであれば上記とは異なるものであってもよい。貫通孔３５は、温度計測部５の計測部５ａが挿入可能な大きさの開口を有した貫通穴である。なお温度計測部５は、その計測部５ａが装着面３６から僅かに突出する様に貫通孔３５に挿入され配置される。なお、貫通孔３２〜３４は、光の照射及び受光の妨げとならない様な透明な公知の樹脂素材等で封止され、発光部２や受光部３，４の部分が露出しない様にされていてもよい。あるいは装着面３６に、光の照射や受光の妨げとならない様な公知のフィルム素材が貼り付けられて、発光部２や受光部３，４の部分が露出しない様にされていてもよい。
【００４４】
３．動作の説明
続いて、生体情報収集装置１００の動作について説明を行う。なお、以降では、同一の２つの生体情報収集センサ１（以降において「生体情報収集センサ１Ａ，１Ｂ」とも記載する。）が用いられて生体情報の収集が行われる例に適用して説明を行う。具体的に説明すると、生体情報収集センサ１Ａ，１Ｂが、それぞれ患者の異なる部位に貼り付けられて、それぞれの部分の生体情報を収集する例に適用して以降の説明を行う。なお使用する生体情報収集センサ１の数は、上記に限定される訳でなく、１つであっても３つ以上であってもよい。本実施形態では、透明なフィルム状の被覆材（透明なドレッシング材）が貼り付けられた患者の皮膚の部分に生体情報収集センサ１が装着される例に適用して以降の説明を行うが、生体情報収集センサ１の装着面３６側にその様なフィルム素材を貼り付けてもよく、あるいは生体情報収集センサ１が、その様なフィルム素材を介さずに直接患者の皮膚に装着されてもよい。
【００４５】
はじめに生体情報収集センサ１Ａ，１Ｂが、患者の生体情報の収集が行われる部位にそれぞれ装着される（図５参照。）。具体的には、装着面板３０の装着面３６が、生体情報の収集が行われる患者の部位の皮膚の表面と接触する様にして筐体部１０が配置される。筐体部１０は、絆創膏や医療用のテープなどを用いて患者に固定される。使用者によってスイッチ２３が操作されると、バッテリ７から筐体部１０の各電子素子に電気が供給され、筐体部１０が通電状態となってランプ２４が点灯する。
【００４６】
続いて使用者によって生体情報の収集に必要な操作が行われると、表示装置５０の表示部５２に生体情報の収集に必要な情報の入力を求める画面が表示される。本実施形態では、表示部５２の表示画面が、使用される生体情報収集センサ１の数に応じて分割されて表示される例に適用して説明を行うと、生体情報収集センサ１Ａに対応する表示部５２の部分に、生体情報収集センサ１Ａが生体情報データを算出する時間間隔の入力を求める画面や、生体情報収集センサ１Ａによる生体情報の収集の開始及び停止や一時停止の指示を行う図示されていない画面が表示される。また、生体情報収集センサ１Ｂに対応する表示部５２の部分に、生体情報収集センサ１Ｂが生体情報データを算出する時間間隔の入力を求める画面や、生体情報収集センサ１Ｂによる生体情報の収集の開始及び停止や一時停止の指示を行う図示されていない画面が表示される。使用者によって表示部５２が操作されて生体情報の収集に必要な情報が入力されると、通信機能部５１が、入力された情報を生体情報収集センサ１Ａ，１Ｂにそれぞれ送信する。なお、表示部５２の同一の部分に生体情報収集センサ１Ａ，１Ｂに対応するこれらの表示が行われてもよい。
【００４７】
続いて生体情報収集センサ１Ａ，１Ｂの動作の説明を行う。なお、生体情報収集センサ１Ａと生体情報収集センサ１Ｂの動作は同一であるため、以降は主に生体情報収集センサ１Ａを例に動作の説明を行う。生体情報収集センサ１Ａは、通信機能部５１が送信した生体情報の収集に必要な情報を受信すると、生体情報の収集を開始する。具体的には、発光部２のＬＥＤ２ａ、ＬＥＤ２ｂが、それぞれ波長の異なる光を生体情報収集センサ１Ａが装着された患者の組織に向かって照射する。そして受光部３，４のＰＤａ、ＰＤｂが、患者の組織を透過した光をそれぞれ受光し、受光した光に応じた光学情報を制御部６に入力する。また、温度計測部５は、計測部５ａが接触した部分の温度に応じた信号を出力する。温度計測制御部９は、温度計測部５の出力信号を電圧に関する信号に変換して、制御部６に入力する。
【００４８】
制御部６は、受光部３，４から取得した光学情報に基づいて、使用者が設定した時間間隔毎に演算処理を行い、組織の酸素飽和度に関する情報を算出する。具体的には、演算処理部６３が、組織の酸素飽和度を算出する公知の演算方法に従い、受光部３，４から取得した光学情報に基づいて、測定対象の組織の酸素飽和度に関する情報を算出する。本実施形態では制御部６が、受光部３，４が取得した光学情報に基づいて、酸素飽和度（ｒＳＯ２）と総ヘモグロビン指数（Ｔ−ＨｂI）を算出する例に適用して以降の説明を行う。
【００４９】
更に制御部６は、温度計測制御部９から受信した温度情報に基づき、使用者が設定した時間間隔毎に、計測部５ａが接触した患者の部分の温度を算出する。具体的には、Ａ／Ｄ変換部６２が温度計測制御部９から受信した温度情報を変換し、演算処理部６３が変換された情報に基づいて当該部分の温度（体温）を算出する。更に制御部６は、算出した酸素飽和度（ｒＳＯ２）、総ヘモグロビン指数（Ｔ−ＨｂI）及び体温情報を、生体情報データとして送信する。具体的には、通信部６４が、収集した生体情報データと通信部６４の識別情報データを含む信号を公知の通信規格に従ってアンテナ部６５を介して送信する。
【００５０】
なお計測制御部６１は、一回の組織の酸素飽和度に関する情報を算出するのに必要な光学情報を取得した後に発光部２を消灯させ、次の組織の酸素飽和度に関する情報を算出するのに必要な光学情報を取得する際に、改めて発光部２を発光させる制御を行ってもよい。この様な制御を行えば、バッテリ７の消耗を低減させることが期待できる。
【００５１】
生体情報収集センサ１Ａから送信された信号を通信機能部５１が受信すると、受信した信号に含まれる生体情報データが、表示部５２の生体情報収集センサ１Ａと紐付けされた表示部５２の部分である表示部５２Ａに表示される。また、生体情報収集センサ１Ｂから送信された信号を通信機能部５１が受信すると、受信した信号に含まれる生体情報データが、表示部５２の生体情報収集センサ１Ｂに紐付けられた表示部５２の部分である表示部５２Ｂに表示される。
【００５２】
表示部５２は、受信された生体情報データを数値として表示する数値表示部５５と、生体情報データの数値の時間変化をグラフとして表示するトレンド表示部５６に分かれている。生体情報収集センサ１Ａが送信した生体情報データの内容は、表示部５２Ａの数値表示部５５及びトレンド表示部５６に表示される。なお、これらの表示は予め定められた時間間隔で更新される（図６参照。）。
【００５３】
使用者によって表示部５２が操作され、生体情報収集センサ１Ａによる生体情報の収集を一時中断する信号が通信機能部５１から送信されると、生体情報収集センサ１Ａは生体情報の収集を中断する。具体的には、演算処理部６３が酸素飽和度に関する情報等を算出する処理を中断するとともに、計測制御部６１が生体情報の収集を中断する処理を行う。計測制御部６１が生体情報の収集を中断する処理を行うと、発光制御部８は発光部２への電流の供給を停止してＬＥＤ２ａ、ＬＥＤ２ｂを消灯させる。
【００５４】
使用者によって再び表示部５２が操作され、生体情報収集センサ１Ａによる生体情報の収集を再開する信号が通信機能部５１から送信されると、生体情報収集センサ１Ａは生体情報の収集を再開する。具体的には、計測制御部６１が発光制御部８に対して生体情報の収集を開始する信号を出力し、ＬＥＤ２ａ、ＬＥＤ２ｂを発光させる。また、演算処理部６３が、受光部３，４からの光学情報に基づいて酸素飽和度に関する情報等を算出する処理を行い、通信部６４が生体情報データを送信する。
【００５５】
使用者によってスイッチ２３が操作され、生体情報収集センサ１ＡがＯＦＦ状態となると、生体情報収集センサ１Ａは生体情報の収集を終了する。具体的には、使用者がスイッチ２３を操作してＯＦＦ状態にすると、ＯＮ／ＯＦＦ回路１１から筐体部１０の内部の電子部品への電気の供給が停止し、生体情報収集センサ１ＡがＯＦＦ状態となって生体情報の収集が終了する。
【００５６】
使用者によって、表示部５２に表示された保存ボタン５７が操作されると、演算処理部５３は、受信した生体情報データを記憶部５４に記憶する処理を行う。更に使用者によって、表示部５２に表示された終了ボタン５８が操作されると、演算処理部５３は、専用プログラムを終了する処理を行う。
【００５７】
上記の構成からなる生体情報収集センサ１によれば、組織の酸素飽和度に関する情報を収集する発光部２及び受光部３，４と、体温に関する情報を収集する温度計測部５が、装着面３６側に並んで配置されている。このため、酸素飽和度に関する情報が収集された組織に近い部分の温度に関する情報を同時に収集することができる。このため、同一の箇所の二つの種類の生体情報を同時に収集することが可能となる。即ち同一の箇所の二つの種類の生体情報を同時に収集することができるため、同一の部分にある組織に関する多角的な情報を使用者に提供することができる。
【００５８】
更に生体情報収集センサ１の温度計測部５は、発光部２及び受光部３，４が並ぶ同一の仮想直線Ｈ上に並んで配置されている。このため温度計測部５は、発光部２及び受光部３，４によって酸素飽和度が算出される組織により近い部分の皮膚の体温に関する情報の収集を行うことができる。また発光部２、受光部３，４及び温度計測部５を適切な状態で測定対象の部分に配置することが容易となる。
【００５９】
更に生体情報収集センサ１には、筐体部１０の装着面３６側の端部から離れる方向に突出して延びる辺縁遮光部３１を有している。前述の様に、組織の酸素飽和度に関する情報は、受光部３，４からの光学情報に基づいて算出される。このため受光部３，４が、発光部２から照射され組織を透過した透過光以外の光を受光してしまうと正確な組織の酸素飽和度に関する情報を算出することができない。辺縁遮光部３１は、受光部３，４から離れた外装２０の外側で、患者の皮膚と接触するため、照明などの外来光が生体情報収集センサ１と患者の皮膚の接触面の間から入射してしまうことを防ぐことができる。このためより正確な組織の酸素飽和度に関する情報を収集することができる様になる。
【００６０】
更にこの辺縁遮光部３１は、延出する先側ほどその厚さが薄くなる様に形成されている。このため、装着面板３０の端側で、患者の皮膚とより柔軟に接触し、例えば患者の皮膚の表面に凹凸がある様な場合でも、隙間なく接触することができる。このため、外来光が入射されることがより有効に防がれて、より正確な組織の酸素飽和度に関する情報を収集することができる様になる。
【００６１】
また制御部６は、データを送信した制御部６を識別可能な無線通信規格に従って生体情報データを送信するため、表示装置５０は、複数の生体情報収集センサ１から生体情報データを受信し、表示部５２に同時に表示することができる。このため、例えば下肢における閉塞性動脈硬化症の治療などの際に、治療対象となる血管が走行する向きに従って複数の生体情報収集センサ１を配置して、それぞれの生体情報データを表示装置５０に表示して、治療による血流変化の様子を観察したり、治療を行った箇所と関連する血管が走行する複数箇所の組織の状態の時間変化をモニタリングしたりすることも可能となる。あるいは他の手術や治療、その他の診断の際に、患者の複数の部分の生体情報を同時に収集したりモニタリングしたりすることができる。
【００６２】
また制御部６の計測制御部６１は、生体情報の収集を一時中断する信号が通信機能部５１から送信されると、発光制御部８に対して生体情報の収集を中断する信号を出力し、発光部２への電流の供給を停止する処理を行う。このようにしてＬＥＤ２ａ、ＬＥＤ２ｂが消灯し、バッテリ７の消費電力が低減されるため、より長時間生体情報の収集が行える様になる。
【００６３】
また本実施形態に係る生体情報収集装置１００では、生体情報収集センサ１は、バッテリ７を内蔵しており外部から電気の供給を受ける必要がない。更に生体情報収集センサ１と表示装置５０は、無線にて通信を行うため、生体情報収集センサ１と表示装置５０の間を接続するケーブルも不要である。このため、生体情報の収集の際にケーブルが患者に触れてしまうなどのおそれがなく、安全に生体情報の収集を行うことができる。また、生体情報収集センサ１を患者に装着する際にケーブルが邪魔になることもないため、任意の箇所に生体情報収集センサ１を装着して生体情報の収集を行うことが容易である。
【００６４】
なお、本発明の技術範囲は上記実施形態に限定されるものではなく、本発明の趣旨を逸脱しない範囲において種々の変更を加えることが可能である。例えば上記の実施形態では、辺縁遮光部３１を有する構成について説明を行ったが、辺縁遮光部３１を有さない構成としてもよい。即ち装着面板３０が、上側面部２１と略同一の面積を有するものとしてもよい。この様にすれば、よりコンパクトで簡易な構成の生体情報収集センサ１を提供することができる。
【００６５】
また上記の実施形態では、辺縁遮光部３１が装着面板３０と一体となって設けられている例に適用して説明を行ったが、これに限られる訳ではない。例えば、辺縁遮光部３１が、側面部２２の装着面３６側の部分から、筐体部１０から離れる方向に向かって突出して延びて設けられていてもよい。
【００６６】
また上記の実施形態では、生体情報収集センサ１と表示装置５０が無線通信を行う例に適用して説明を行ったが、生体情報収集センサ１と表示装置５０がケーブル等によって接続されていてもよい。この様にすれば、無線通信状況に影響を受けない簡易な構成の生体情報収集装置とすることができる。
【００６７】
また上記の実施形態では、筐体部１０が略直方体形状をしている例に適用して説明を行ったがこれに限定される訳ではない。筐体部１０の形状は、各電子部品を収容可能な形状で、測定対象に装着容易であれば、立方体や他の形状をしていてもよい。
【００６８】
また上記の実施形態では、本発明に係る生体情報収集装置１００を患者の生体情報を収集する医療機器として使用する例に適用して説明を行ったが、生体情報収集装置１００を、例えば動物などの生体情報を収集する目的で使用してもよい。あるいは学術的な研究を目的として生体情報を収集する装置として使用してもよく特にその用途を限定するものではない。
【００６９】
〔第２の実施形態〕
以下、本発明の第２の実施形態に係る生体情報収集装置２００について主に図２を参照しながら説明を行う。本実施形態では、温度計測部が収集した温度情報に基づいて、組織の酸素飽和度に関する情報の収集が制御される点が上記の実施形態と相違する。このため、以降の説明では、相違する点について主に説明を行い、第１の実施形態と同一の部分については同一の符号を付してその説明を省略する。
【００７０】
実施形態に係る生体情報収集センサ１５０の制御部６００は、温度計測部５が収集した温度情報に基づいて、組織の酸素飽和度に関する情報の収集を制御する機能を有した計測制御部６１０を備えている。組織の酸素飽和度に関する情報は、組織を透過した透過光を受光部３，４が受光して得られた光学情報に基づいて算出される。このため、発光部２及び受光部３，４が、測定対象となる患者の皮膚に適切に配置されている必要がある。換言すれば、装着面３６が測定対象となる患者の皮膚に適切に接触している必要がある。装着面３６が測定対象となる患者の皮膚に適切に接触していなかった場合には、受光部３，４が、発光部２が発光した光を直接受光してしまったり、外来光などの生体情報の収集とは関係のない光を受光してしまったりする。即ち、受光部３，４が、組織からの透過光以外の光を受光してしまう。この様な場合には、受光部３，４が、正確な光学情報を出力することができないため、不正確な組織の酸素飽和度に関する情報が算出されて表示されてしまう。
【００７１】
なお、生体情報収集センサ１５０の温度計測部５は、発光部２及び受光部３，４と同じ装着面３６に配置されているため、装着面３６が測定対象となる患者の皮膚に適切に接触していれば、温度計測部５は患者の皮膚の温度を測定することになる。一方、装着面３６が測定対象となる患者の皮膚に適切に接触していない場合には、温度計測部５は患者の皮膚ではなく、大気等の患者の皮膚とは異なる部分の温度（部屋の大気の温度）を測定することになる。即ち、温度計測部５からの温度情報に基づいて、装着面３６が測定対象となる患者の皮膚に適切に接触しているか否かを推定することができる。
【００７２】
このため、本実施形態に係る生体情報収集センサ１５０の計測制御部６１０は、温度計測部５が取得した温度情報から、温度計測部５が測定対象の患者の皮膚の温度を測定していると想定される場合には、組織の酸素飽和度に関する情報を収集する処理行う。一方計測制御部６１０は、温度計測部５が取得した温度情報から、温度計測部５が測定対象の患者の皮膚以外の部分の温度を測定していると想定される場合には、温度計測部５が測定対象の患者の皮膚の温度を測定していると想定される状態になるまで、組織の酸素飽和度に関する情報の収集を中断する処理を行う。
【００７３】
本実施形態では、温度計測部５が取得した温度情報が、予め定められた測定開始温度Ｘを上回る場合に、計測制御部６１０が、組織の酸素飽和度に関する情報を収集する処理を行う例に適用して以降の説明を行う。また温度計測部５が取得した温度情報が予め定められた測定停止温度Ｙを下回る場合に、計測制御部６１０が、組織の酸素飽和度に関する情報の収集を停止する処理を行う例に適用して以降の説明を行う。なお、測定停止温度Ｙは測定開始温度Ｘよりも低い（小さな）値である。なお、測定開始温度Ｘ及び測定停止温度Ｙは、使用者が表示装置５０の表示部５２を操作して事前に設定された値であっても、予め計測制御部６１０等に記憶された値であってもよい。
【００７４】
以下、生体情報収集センサ１５０の動作について説明を行う。以降の説明では、測定開始温度Ｘが３４℃に、測定停止温度Ｙが３０℃に設定されている例に適用して以降の説明を行う。また、生体情報収集センサ１５０が使用される部屋の温度は２５℃であるものとする。
【００７５】
使用者がスイッチ２３を操作して、生体情報収集センサ１５０の電源を入れると、温度計測部５が温度の測定を開始する。また、発光部２のＬＥＤ２ａ、ＬＥＤ２ｂが発光し、受光部３，４が受光した光に基づく光学情報を出力する。この際、生体情報収集センサ１５０は患者に装着されていないため、温度計測部５は患者の皮膚とは異なる部分の温度（部屋の大気の温度）を測定する。計測制御部６１０は、温度計測部５が測定した温度情報（２５℃）と測定停止温度Ｙを比較する処理を行い、温度情報が測定停止温度Ｙを上回る値であるか否かを判断する。計測制御部６１０は、温度計測部５が取得した温度情報が、測定停止温度Ｙ（３０℃）よりも低い値であるため、酸素飽和度に関する情報の収集を停止する処理を行う。具体的には、計測制御部６１０が発光制御部８を介して発光部２の発光を停止させる処理を行う。即ち、発光制御部８からの発光部２のＬＥＤ２ａ、ＬＥＤ２ｂへの電流の供給が停止され、ＬＥＤ２ａ、ＬＥＤ２ｂが消灯する。
【００７６】
続いて使用者によって生体情報収集センサ１５０が測定対象となる患者に装着されると、温度計測部５の計測部５ａが測定対象となる皮膚の部分と接触し、接触した部分の温度を計測する。温度計測制御部９は、温度計測部５が取得した温度情報を制御部６００に逐次入力する。
【００７７】
計測制御部６１０は、温度計測部５が取得した温度情報と測定開始温度Ｘ（３４℃）を比較する処理を随時行い、温度計測部５が取得した温度情報が測定開始温度Ｘ（３４℃）よりも高い値となった時点で組織の酸素飽和度に関する情報の収集を開始する処理を行う。具体的には、発光制御部８を制御して発光部２を発光させる処理を行うと共に、演算処理部６３に受光部３，４から取得した光学情報に基づいて組織の酸素飽和度に関する情報を算出させる処理を行う。
【００７８】
計測制御部６１０は、組織の酸素飽和度に関する情報の収集を開始する処理を行うと、温度計測部５が取得した温度情報と測定停止温度Ｙを比較する処理を随時行い、温度計測部５が取得した温度情報が、測定停止温度Ｙよりも大きな値である場合には、組織の酸素飽和度に関する情報の収集を継続させる処理を行う。
【００７９】
一方、患者の動きなどによって装着面３６と患者の皮膚の接触が不十分となり、温度計測部５が患者の皮膚から離れると、温度計測部５は部屋の大気の温度を計測する。この場合には、制御部６００には患者の皮膚の温度よりも低い大気の温度情報が入力される。計測制御部６１０は、温度計測部５が取得した温度情報が、測定停止温度Ｙ（３０℃）よりも小さな値となると、組織の酸素飽和度に関する情報の収集を中断する処理を行う。具体的には、発光制御部８を介して発光部２の発光を停止する処理を行う。即ち、発光制御部８からの発光部２のＬＥＤ２ａ、ＬＥＤ２ｂへの電流の供給が停止され、ＬＥＤ２ａ、ＬＥＤ２ｂが消灯する。
【００８０】
組織の酸素飽和度に関する情報の収集を中断する処理を行うと、計測制御部６１０は、温度計測部５が取得した温度情報と測定開始温度Ｘを比較する処理を行う。計測制御部６１０は、温度情報が測定開始温度Ｘを上回るまで、組織の酸素飽和度に関する情報の収集を中断した状態を維持する。そして温度計測部５が取得した温度情報が測定開始温度Ｘを上回った場合には、計測制御部６１０は、組織の酸素飽和度に関する情報の収集を再開する処理を行う。具体的には、発光制御部８を制御して発光部２を発光させる処理を行う。以降、使用者が生体情報の収集の終了するまで、上記の処理が繰り返される。
【００８１】
本実施形態の生体情報収集センサ１５０によれば、計測制御部６１０は、温度計測部５が収集した温度情報に基づいて組織の酸素飽和度に関する情報の収集を制御する。即ち、温度計測部５が収集した温度情報が予め定められた値を下回る場合には、発光部２及び受光部３，４が適切に測定部位に対して配置されておらず、組織の酸素飽和度に関する情報の収集が適切に行えないとみなして組織の酸素飽和度に関する情報の収集を停止する処理を行う。発光部２及び受光部３，４が適切に配置されていない場合には、不正確なデータが表示されるおそれがある。この場合には、使用者がその不正確なデータに基づいて誤った判断をしてしまう可能性がある。しかしながら、上記の様な処理を行えば、組織の酸素飽和度に関する情報の収集が中断され、不正確な生体情報は表示されないため、使用者がその不正確なデータに基づいて誤った判断をしてしまったりすることが防がれる。
【００８２】
また、発光部２のＬＥＤ２ａ、ＬＥＤ２ｂへの電流の供給が停止されるため、バッテリ７の電力の消費が低減されて、より長時間の生体情報収集センサ１５０の使用が可能となる。
【００８３】
なお、本発明の技術範囲は上記実施形態に限定されるものではなく、本発明の趣旨を逸脱しない範囲において種々の変更を加えることが可能である。例えば上記の実施形態では測定開始温度Ｘと測定停止温度Ｙが異なる例に適用して説明を行ったが、測定開始温度Ｘと測定停止温度Ｙが同じ値であってもよい。この様にすれば、酸素飽和度に関する情報の収集の制御をより精密に行うことができる。また、上記の実施形態では測定開始温度Ｘと測定停止温度Ｙが別々にされる例に適用して説明を行ったが、測定開始温度Ｘと測定停止温度Ｙの差分の温度が予め設定されており、測定開始温度Ｘあるいは測定停止温度Ｙのいずれか一方の温度が設定されれば、自動的に他方の温度が設定される様にしてもよい。このようにすれば、設定操作が容易な生体情報収集センサ１５０とすることが可能となる。
【００８４】
また計測制御部６１０は、温度計測部５が収集した温度情報が、測定停止温度Ｙよりも小さな値となった際に、受光部３，４による透過光の受光を中断したり、制御部６００への光学情報の出力を中断したりする処理を行ってもよい。あるいは計測制御部６１０は、温度計測部５が収集した温度情報が、測定停止温度Ｙよりも小さな値となった際に、演算処理部６３に組織の酸素飽和度に関する情報の算出をさせる処理を行ってもよい。
【００８５】
また例えば取得した光学情報が所定の条件を逸脱するなど、演算処理部６３が、生体情報収集センサ１が通常とは異なる状態であると判定した場合に、計測制御部６１０が、発光部２を消灯する制御を行ってもよい。また、計測制御部６１０は、発光部２を消灯する制御を行った後は、その後に収集された温度情報に関わらず、表示装置５０からの生体情報の収集の再開の指示情報を受信するまで、発光部２を消灯した状態に維持する処理を行ってもよい。この様な制御を行えば、更に効率的にバッテリ７の電力の消費を抑えることが期待できる。また、例えば、本発明を上記の実施形態に適用したものに限られることなく、これらの実施形態を適宜組み合わせた実施形態に適用してもよく、特に限定するものではない。
【符号の説明】
【００８６】
１，１Ａ，１Ｂ，１５０・・・生体情報収集センサ    ２・・・発光部
３，４・・・受光部    ５・・・温度計測部    ５ａ・・・計測部
６，６００・・・制御部    ７・・・バッテリ    ８・・・発光制御部
９・・・温度計測制御部    １０・・・筐体部    １１・・・ＯＮ／ＯＦＦ回路
２０・・・外装    ２１・・・上側面部    ２２・・・側面部
２３・・・スイッチ    ２４・・・ランプ    ３０・・・装着面板
３１・・・辺縁遮光部    ３２〜３５・・・貫通孔    ３６・・・装着面
３７・・・外側面    ４０・・・基板    ５０・・・表示装置
５１・・・通信機能部    ５２，５２Ａ，５２Ｂ・・・表示部
５３・・・演算処理部    ５４・・・記憶部    ５５・・・数値表示部
５６・・・トレンド表示部    ５７・・・保存ボタン    ５８・・・終了ボタン
６１，６１０・・・計測制御部    ６２・・・Ａ／Ｄ変換部
６３・・・演算処理部    ６４・・・通信部    ６５・・・アンテナ部
１００，２００・・・生体情報収集装置
【図１】
2020141746.tif 000003
【図２】
2020141746.tif 000004
【図３】
2020141746.tif 000005
【図４】
2020141746.tif 000006
【図５】
2020141746.tif 000007
【図６】
2020141746.tif 000008